(57)【要約】  【課題】医療器具の技術分野に関する多経路作業カニューレを提供する。  【解決手段】ガイドカニューレを含み、ガイドカニューレはメイン案内カニューレ（１）とサブ案内カニューレ（２）とを含み、メイン案内カニューレ（１）とサブ案内カニューレ（２）は一体化されて設置され、ガイドカニューレは、一端が入口端となり、他端が出口端となり、ガイドカニューレの入口端にはガイドプレート（３）が設けられ、ガイドプレート（３）にはガイドカニューレに合わせる第１貫通孔（３１）が設けられ、ガイドカニューレの入口端は第１貫通孔（３１）内に挿入されて、ガイドカニューレとガイドプレート（３）とを固定接続し、メイン案内カニューレ（１）の長さはサブ案内カニューレ（２）の長さより長く、サブ案内カニューレ（２）の出口端はメイン案内カニューレ（１）の外側壁に密着し、メイン案内カニューレ（１）の外側壁のサブ案内カニューレ（２）の出口端に密着する箇所には内視鏡視野孔（４）が設けられる。実際の施術過程中において、器具がサブ案内カニューレ（２）を介して作動する場合、内視鏡はメイン案内カニューレ（１）内から内視鏡視野孔（４）を介して器具の作動状態を確認することができるのに対して、器具がメイン案内カニューレ（１）を介して作動する場合、同様に内視鏡はサブ案内カニューレ（２）内から内視鏡視野孔を介して器具の作動状態を確認することができる。当該作業カニューレは簡単な構造を持ち、取り付けが便利で、柔軟な操作を実現する。  【選択図】図１
2022502104.tif 000002
【特許請求の範囲】
【請求項１】
ガイドカニューレを含み、ガイドカニューレはメイン案内カニューレ（１）とサブ案内カニューレ（２）とを含み、前記メイン案内カニューレ（１）とサブ案内カニューレ（２）は一体化されて設置され、
ガイドカニューレは、一端が入口端となり、他端が出口端となり、
ガイドカニューレの入口端にはガイドプレート（３）が設けられ、ガイドプレート（３）にはガイドカニューレに合わせる第１貫通孔（３１）が設けられ、ガイドカニューレの入口端は第１貫通孔（３１）内に挿入されて、ガイドカニューレとガイドプレート（３）とを固定接続し、
メイン案内カニューレ（１）の長さはサブ案内カニューレ（２）の長さより長く、サブ案内カニューレ（２）の出口端はメイン案内カニューレ（１）の外側壁に密着し、
メイン案内カニューレ（１）の外側壁のサブ案内カニューレ（２）の出口端に密着する箇所には内視鏡視野孔（４）が設けられる、ことを特徴とする多経路作業カニューレ。
【請求項２】
前記内視鏡視野孔（４）は長尺孔であり、サブ案内カニューレ（２）の長手方向に沿って延在する、ことを特徴とする請求項１に記載の多経路作業カニューレ。
【請求項３】
前記内視鏡視野孔（４）の上端開口は、メイン案内カニューレ（１）の外側壁のサブ案内カニューレ（２）の出口端に密着する箇所に設置され、内視鏡視野孔（４）の下端開口はメイン案内カニューレ（１）の出口端に連通していない、ことを特徴とする請求項２に記載の多経路作業カニューレ。
【請求項４】
前記内視鏡視野孔（４）の下端開口はメイン案内カニューレ（１）の出口端まで延在する、ことを特徴とする請求項２に記載の多経路作業カニューレ。
【請求項５】
前記メイン案内カニューレ（１）の中心線はサブ案内カニューレ（２）の中心線に対して平行ではない、ことを特徴とする請求項１に記載の多経路作業カニューレ。
【請求項６】
前記メイン案内カニューレ（１）の出口端には第１傾斜開口（５）が設けられる、ことを特徴とする請求項１に記載の多経路作業カニューレ。
【請求項７】
前記サブ案内カニューレ（２）の出口端には第２傾斜開口（６）が設けられる、ことを特徴とする請求項１に記載の多経路作業カニューレ。
【請求項８】
前記メイン案内カニューレ（１）の直径はサブ案内カニューレ（２）の直径と異なる、ことを特徴とする請求項１に記載の多経路作業カニューレ。
【請求項９】
前記ガイドカニューレの材質はステンレス鋼とする、ことを特徴とする請求項１に記載の多経路作業カニューレ。
【発明の詳細な説明】
【技術分野】
【０００１】
本発明は医療器具技術の分野に関し、特に多経路作業カニューレに関する。
【背景技術】
【０００２】
低侵襲手術には、創傷が小さく、痛みが少なく、回復が早い長所があるため、「低侵襲」という概念は外科手術の各分野に浸透している。低侵襲手術とは、腹腔鏡や胸腔鏡など最新の医療器具を利用し、低侵襲経路装置及び関連装置と組み合わせて行われる手術である。
【０００３】
従来技術において、低侵襲経路装置はガイドカニューレと拡張カニューレとを含み、ガイドカニューレは拡張カニューレの内部に設置される。実際の施術において、患部の周辺の骨部位を研削する必要がある場合、ドリルをガイドカニューレに沿って患部まで挿入して研削しなければならない。拡張カニューレ内にはガイドカニューレが１本しかないため、ドリルを挿入すると同時に内視鏡を挿入することができない。したがって、実際に研削を行う場合、ドリルの研削状態を確認することができず、常に研削部位に正確に位置合わせすることができない。一方、研削が終わってから、内視鏡を挿入して観察する場合、ドリルをガイドカニューレから抜き出してから内視鏡をガイドカニューレ内に挿入しなければならないため、操作手順が複雑であるため、施術が長引き、患者に損傷を与えてしまった。  
【発明の概要】
【発明が解決しようとする課題】
【０００４】
本発明は従来技術において内視鏡の作業状態を観察しにくい課題を解決する多経路作業カニューレを提供する。
【課題を解決するための手段】
【０００５】
本発明の実施例は、多経路作業カニューレを提供ししており、ガイドカニューレを含み、ガイドカニューレはメイン案内カニューレとサブ案内カニューレとを含み、前記メイン案内カニューレとサブ案内カニューレとは一体化されて設置され、
ガイドカニューレは一端が入口端となり、他端が出口端となり、
【０００６】
ガイドカニューレの入口端にはガイドプレートが設けられ、ガイドプレートにはガイドカニューレに合わせる第１貫通孔が設けられ、ガイドカニューレの入口端は第１貫通孔内に挿入されて、ガイドカニューレとガイドプレートとを固定接続し、
【０００７】
メイン案内カニューレの長さはサブ案内カニューレの長さより長く、サブ案内カニューレの出口端はメイン案内カニューレの外側壁に密着し、
メイン案内カニューレの外側壁のサブ案内カニューレの出口端に密着する箇所には内視鏡視野孔が設けられる。
【０００８】
選択的に、前記内視鏡視野孔は長尺孔であり、サブ案内カニューレの長手方向に沿って延在する。
【０００９】
選択的に、前記内視鏡視野孔の上端開口は、メイン案内カニューレの外側壁のサブ案内カニューレの出口端に密着する箇所に設置され、内視鏡視野孔の下端開口はメイン案内カニューレの出口端に連通していない。
【００１０】
選択的に、前記内視鏡視野孔の下端開口はメイン案内カニューレの出口端まで延在する。
【００１１】
選択的に、前記メイン案内カニューレの中心線はサブ案内カニューレの中心線に対して平行ではない。
選択的に、前記メイン案内カニューレの出口端には第１傾斜開口が設けられる。
【００１２】
選択的に、前記サブ案内カニューレの出口端には第２傾斜開口が設けられる。
選択的に、前記メイン案内カニューレの直径はサブ案内カニューレの直径と異なる。
【００１３】
選択的に、前記ガイドカニューレの材質はステンレス鋼とする。
従来の技術に比べて、本発明には下記の有益な効果を有する。
【００１４】
本発明はガイドカニューレを含み、ガイドカニューレはメイン案内カニューレとサブ案内カニューレとを含み、前記メイン案内カニューレとサブ案内カニューレとは一体化されて設置され、メイン案内カニューレの長さはサブ案内カニューレの長さより長く、サブ案内カニューレの出口端はメイン案内カニューレの外側壁に密着し、メイン案内カニューレの外側壁のサブ案内カニューレの出口端に密着する箇所には内視鏡視野孔が設けられる。実際の施術過程中において、器具がサブ案内カニューレを介して作動する場合、内視鏡はメイン案内カニューレ内から内視鏡視野孔を介して器具の作動状態を確認することができるのに対して、器具がメイン案内カニューレを介して作動する場合、同様に内視鏡はサブ案内カニューレ内から内視鏡視野孔を介して器具の作動状態を確認することができる。前記メイン案内カニューレの中心線がサブ案内カニューレの中心線に対して平行ではないため、サブ案内カニューレの出口端はメイン案内カニューレの外側壁に密着しているため、メイン案内カニューレの入口端はサブ案内カニューレの入口端に隣接せず、両者間で所定の距離をあけて、これにより、メイン案内カニューレに大きな器具が挿入された場合、サブ案内カニューレ内に挿入されている器具を障害することを防止することができる。当該作業カニューレは簡単な構造を持ち、取り付けが便利で、柔軟な操作を実現する。
【図面の簡単な説明】
【００１５】
背景技術や本発明の技術案をより明瞭に説明するために、以下、従来技術や具体的な実施例に組み合わせて使用される図面を簡単に説明する。明らかに、以下の具体的な実施例に組み合わせて使用される図面は本発明の実施例を理解させるものに過ぎず、当業者は創造的な労力をせず、これらの図面に基づいて、ほかの図面を得ることができる。
【図１】は本発明の実施例が提供する作業カニューレの軸側構造図１である。
【図２】は本発明の実施例が提供するガイドプレートの構造図である。
【図３】は本発明の実施例が提供する作業カニューレの軸側構造図２である。
【発明を実施するための形態】
【００１６】
当業者に本発明の技術案をよく理解してもらうために、以下、本発明の実施例の図面に合わせて、本発明の実施例の技術案について明瞭で包括的に説明する。明らかに、説明される実施例は本発明の実施例の一部に過ぎず、実施例の全部ではない。本発明の実施例に基づいて、当業者が創造的な労力をせずに得られたほかの実施例は、いずれも本発明の保護範囲内に含まれる。
【００１７】
本発明の実施例が提供する多経路作業カニューレはガイドカニューレを含み、前記ガイドカニューレはメイン案内カニューレ１とサブ案内カニューレ２とを含み、その材質はステンレス鋼とする。
【００１８】
図１は本発明の実施例が提供する作業カニューレの軸側構造図１である。図１に示すように、前記メイン案内カニューレ１とサブ案内カニューレ２とは接続プレート７を介して一体化されて設置される。ガイドカニューレは、一端が入口端となり、他端が出口端となる。
【００１９】
ガイドカニューレの入口端にはガイドプレート３が設けられる。図２は本発明の実施例が提供するガイドプレートの構造図であり、図２に示すように、ガイドプレート（３）は、ガイドカニューレに垂直な長手方向に延在する。ガイドプレート３にはガイドカニューレに合わせる第１貫通孔３１が設けられ、第１貫通孔３１は長尺状となり、ガイドプレート３の長手方向に沿って延在する。ガイドカニューレの入口端は第１貫通孔３１内に挿入されて、ガイドカニューレとガイドプレート３とを固定接続する。
メイン案内カニューレ１の長さはサブ案内カニューレ２の長さより長く、サブ案内カニューレ２の出口端はメイン案内カニューレ１の外側壁に密着する。
【００２０】
本実施例において、前記メイン案内カニューレ１の中心線がサブ案内カニューレ２の中心線に対して平行ではないため、前記メイン案内カニューレの入口端はサブ案内カニューレの入口端に隣接せず、且つ両者間で所定の距離をあけて、これにより、メイン案内カニューレ１内に大きな器具が挿入された場合、サブ案内カニューレ２内に挿入されている器具を障害することを防止することができる。
【００２１】
メイン案内カニューレ１の外側壁のサブ案内カニューレ２の出口端に密着する箇所には内視鏡視野孔４が設けられる。図１に示すように、前記内視鏡視野孔４は長尺孔となり、且つサブ案内カニューレ２の長手方向に沿って延在する。前記内視鏡視野孔４の上端開口は、メイン案内カニューレ１の外側壁のサブ案内カニューレ２の出口端に密着する箇所に設置され、内視鏡視野孔４の下端開口はメイン案内カニューレ１の出口端に連通していない。
【００２２】
図３は本発明の実施例が提供する作業カニューレの軸側構造図２である。図３に示すように、ほかの実施例において、前記内視鏡視野孔４の下端開口はメイン案内カニューレ１の出口端まで延在してもよく、内視鏡視野孔４の開口の長さを延長し、サブ案内カニューレ２内での器具の作業状態を便利に観察することができる。
【００２３】
ガイドカニューレをうまく人体の施術位置に挿入するために、前記メイン案内カニューレ１の出口端には第１傾斜開口５が設けられ、前記サブ案内カニューレ２の出口端には第２傾斜開口6が設けられる。第１傾斜開口５の傾斜方向は第２傾斜開口６の傾斜方向と一致している。
【００２４】
本実施例において、前記メイン案内カニューレ１及びサブ案内カニューレ２の直径は異なっており、メイン案内カニューレ１の直径はサブ案内カニューレ２の直径より大きい。メイン案内カニューレ１は体積の大きい施術器具の配置に使用し、サブ案内カニューレ２は体積の小さい施術器具の配置に使用する。当然ながら、ほかの実施例において、メイン案内カニューレ１の直径がサブ案内カニューレ２の直径よりも小さい、または同じであるように設定してもよい。
【００２５】
以上、本発明の実施例の多経路作業カニューレについて詳しく説明した。この部分は具体的な実施例を用いて本発明の原理及び実施形態を説明したが、以上の実施例の説明は本発明の技術的思想を理解されるためのものだけで、本発明の原理から逸脱しない限り、当業者が創造的な労力をせずに得られたほかの実施例は、いずれも本発明の保護範囲に含まれる。
【符号の説明】
【００２６】
１、メイン案内カニューレ；２、サブ案内カニューレ；３、ガイドプレート；３１、第１貫通孔；４、内視鏡視野孔；５、第１傾斜開口；６、第２傾斜開口；７、接続プレート
【図１】
2022502104.tif 000003
【図２】
2022502104.tif 000004
【図３】
2022502104.tif 000005
【国際調査報告】
2022502104.tif 000006
2022502104.tif 000007
2022502104.tif 000008
2022502104.tif 000009